【手続補正書】
【提出日】平成29年12月29日(2017.12.29)
【手続補正１】
【補正対象書類名】特許請求の範囲
【補正対象項目名】全文
【補正方法】変更
【補正の内容】
【特許請求の範囲】
【請求項１】
物体のスペクトルを測定する装置であって、前記装置は、
分光器と、
プロセッサと、前記分光器に連結し、遠隔サーバと通信する無線通信回路とを備える携帯通信デバイスであって、前記プロセッサは、物体のスペクトルデータを遠隔サーバに伝送し、前記遠隔サーバからの前記スペクトルデータに応答して物体データを受信する命令を備え、前記プロセッサは、ユーザが、メタデータを伴う前記スペクトルデータをタグ付けすることであって、前記メタデータは、前記物体の識別、前記物体の分類、前記スペクトルデータの日付、もしくは前記物体の場所のうちの１つまたは複数を含む、ことと、前記メタデータを伴う前記スペクトルデータを遠隔サーバに伝送することとを行うための命令を備える、携帯通信デバイスと
を備える、装置。
【請求項２】
前記物体データは、前記物体の識別、複数の分類の間の前記物体の分類、前記物体の１つまたは複数の構成要素、もしくは前記物体の食品カテゴリのうちの１つまたは複数を含む、請求項１に記載の装置。
【請求項３】
前記プロセッサは、ある種類の物体のスキャンの回数、前記スキャンの回数と関連付けられる国の数、および前記物体の種類の下位分類の数を表示する命令を備える、請求項１に記載の装置。
【請求項４】
前記携帯通信デバイスは、前記ユーザがコマンドを前記分光器に入力するために、前記プロセッサに連結されるユーザインターフェースを備える、請求項１に記載の装置。
【請求項５】
前記プロセッサは、前記ユーザが前記携帯通信デバイス上のユーザ入力に応答して前記分光器を制御するための命令を備える、請求項４に記載の装置。
【請求項６】
前記スペクトルデータは、圧縮スペクトルデータを含み、前記プロセッサは、前記圧縮スペクトルデータを前記遠隔サーバに伝送する命令を備える、請求項１に記載の装置。
【請求項７】
前記スペクトルデータは、圧縮スペクトルデータを含み、前記プロセッサは、前記圧縮スペクトルデータを前記遠隔サーバに中継し、前記中継された圧縮スペクトルデータに応答して前記物体データを受信する命令を備える、請求項１に記載の装置。
【請求項８】
前記遠隔サーバは、クラウドベースのサーバを備える、請求項１に記載の装置。
【請求項９】
前記遠隔サーバは、データベースと、前記スペクトルデータを前記データベースと比較するアルゴリズムの命令を具現化する有形的表現媒体とを備える、請求項１に記載の装置。
【請求項１０】
前記遠隔サーバは、
圧縮された暗号化分光器データを受信することと、
前記圧縮された暗号化分光器データからスペクトルを生成することと、
スペクトル情報のデータベースとの前記スペクトルの比較を生成することと、
前記比較の１つまたは複数の結果を前記携帯通信デバイスに出力することと
を行うための命令を備える、請求項１に記載の装置。
【請求項１１】
前記プロセッサは、複数のユーザナビゲート可能画面を提供する命令を備え、前記複数のユーザナビゲート可能ユーザインターフェース画面構成は、ホーム画面、ユーザデータ画面、ユーザツール画面、スキャン画面、物体のデータベースの画面、もしくは結果画面のうちの１つまたは複数を備える、請求項１に記載の装置。
【請求項１２】
前記プロセッサは、前記遠隔サーバから前記物体の識別を受信し、前記識別を前記ユーザに表示する命令を備える、請求項１に記載の装置。
【請求項１３】
前記プロセッサは、前記遠隔サーバから複数の可能性として考えられる識別を受信し、前記複数の可能性として考えられる識別を前記ユーザに表示し、前記ユーザが前記複数の可能性として考えられる識別のうちの１つを選択することを可能にし、前記選択されたものを前記遠隔サーバに伝送する命令を備える、請求項１に記載の装置。
【請求項１４】
前記プロセッサは、前記遠隔サーバのスペクトルデータベースの複数の種類の物体の図形的描写を前記ユーザに表示する命令を備える、請求項１に記載の装置。
【請求項１５】
前記プロセッサは、ユーザが新しい種類の物体をスキャンしたという通知を前記遠隔サーバから受信し、前記通知を表示する命令を備える、請求項１に記載の装置。
【請求項１６】
前記プロセッサは、前記携帯通信デバイス上にダウンロードされるユーザアプリケーションの命令を備え、前記携帯通信デバイスは、無線通信プロトコルを用いて前記分光器に連結されるスマートフォンを備える、請求項１に記載の装置。
【請求項１７】
前記プロセッサは、前記通信デバイスが前記分光器から前記物体のスキャンを待機しているというメッセージを前記通信デバイス上に表示する命令を備える、請求項１に記載の装置。
【請求項１８】
前記プロセッサは、１つまたは複数の分光器制御を前記携帯通信デバイス上に表示する命令を備える、請求項１に記載の装置。
【請求項１９】
前記プロセッサは、前記ユーザが分光器を操作するための１つまたは複数のユーザ選択可能アプリケーションを表示する命令を備える、請求項１に記載の装置。
【請求項２０】
前記分光器は、一意の識別を備え、前記携帯通信デバイスは、無線通信を用いて前記分光器から前記一意の識別を受信し、前記スペクトルデータとともに前記一意の識別を前記遠隔サーバに伝送する命令を含む、請求項１に記載の装置。
【手続補正２】
【補正対象書類名】明細書
【補正対象項目名】０１７６
【補正方法】変更
【補正の内容】
【０１７６】
多くの実施形態では、分光デバイスはさらに、各レンズ要素の波長の輪の出力幅が、入射光ビームの角度に対して低減した非線形を備えるように、各レンズ要素の出力を歪曲させるように構成される非球面形状プロファイルを有する、１つまたはそれを上回るレンズ要素を備えてもよい。
本発明は、例えば、以下を提供する。
（項目１）
物体のスペクトルを測定する装置であって、
分光器と、
プロセッサと、前記分光器に連結し、遠隔サーバと通信する無線通信回路とを備える、携帯通信デバイスであって、前記プロセッサは、物体のスペクトルデータを遠隔サーバに伝送し、前記遠隔サーバからの前記スペクトルデータに応答して物体データを受信する命令を備える、携帯通信デバイスと
を備える、装置。
（項目２）
前記物体データは、前記物体の識別、複数の分類の間の前記物体の分類、前記物体の１つまたはそれを上回る構成要素、もしくは前記物体の食品カテゴリのうちの１つまたはそれを上回るものを含む、項目１に記載の装置。
（項目３）
前記プロセッサは、ある種類の物体のスキャンの回数、前記スキャンの回数と関連付けられる国の数、および前記物体の種類の下位分類の数を表示する命令を備える、項目１に記載の装置。
（項目４）
前記プロセッサは、ユーザが、前記物体の識別、前記物体の分類、前記スペクトルデータの日付、もしくは前記物体の場所のうちの１つまたはそれを上回るものを含む、メタデータを伴う前記スペクトルデータをタグ付けすることと、前記メタデータを伴う前記スペクトルデータを遠隔サーバに伝送することとを行うための命令を備える、項目１に記載の装置。
（項目５）
前記分光器は、前記携帯通信デバイスが無線通信を用いて手持型分光器に動作可能に連結されるときに、ユーザ手動操作により物体に指向されることが可能な測定ビームを伴う前記手持型分光器を備える、項目１に記載の装置。
（項目６）
前記携帯通信デバイスは、前記ユーザがコマンドを前記分光器に入力するために、前記プロセッサに連結されるユーザインターフェースを備える、項目１に記載の装置。
（項目７）
前記ユーザインターフェースは、前記無線通信回路を用いて前記分光器に連結されるタッチスクリーンディスプレイを備え、前記プロセッサは、分光器ユーザ入力に応答して前記ユーザインターフェースの画面を起動する命令を備える、項目６に記載の装置。
（項目８）
前記分光器ユーザ入力は、１つまたはそれを上回るボタンを備える、項目７に記載の装置。
（項目９）
前記プロセッサは、前記ユーザが前記携帯通信デバイス上のユーザ入力に応答して前記分光器を制御するための命令を備える、項目６に記載の装置。
（項目１０）
前記手持型分光器は、ユーザの手で支持されるように配列される、光学ヘッドと、制御盤と、デジタル信号処理回路と、無線通信回路とを備える、項目１に記載の装置。
（項目１１）
前記スペクトルデータは、圧縮スペクトルデータを含み、前記プロセッサは、前記圧縮スペクトルデータを前記遠隔サーバに伝送する命令を備える、項目１に記載の装置。
（項目１２）
前記スペクトルデータは、圧縮スペクトルデータを含み、前記プロセッサは、前記圧縮スペクトルデータを前記遠隔サーバに中継し、前記中継された圧縮スペクトルデータに応答して前記物体データを受信する命令を備える、項目１に記載の装置。
（項目１３）
前記プロセッサは、制御命令を前記遠隔サーバに伝送し、前記遠隔サーバから前記制御命令を受信する命令を備える、項目１に記載の装置。
（項目１４）
前記遠隔サーバは、クラウドベースのサーバを備える、項目１に記載の装置。
（項目１５）
前記遠隔サーバは、データベースと、前記スペクトルデータを前記データベースと比較するアルゴリズムの命令を具現化する有形的表現媒体とを備える、項目１に記載の装置。
（項目１６）
前記遠隔サーバは、
圧縮された暗号化分光器データを受信することと、
前記圧縮された暗号化分光器データからスペクトルを生成することと、
スペクトル情報のデータベースとの前記スペクトルの比較を生成することと、
前記比較の１つまたはそれを上回る結果を前記携帯通信デバイスに出力することと
を行うための命令を備える、項目１に記載の装置。
（項目１７）
前記プロセッサは、複数のユーザナビゲート可能画面を提供する命令を備え、前記複数のユーザナビゲート可能ユーザインターフェース画面構成は、ホーム画面、ユーザデータ画面、ユーザツール画面、スキャン画面、物体のデータベースの画面、もしくは結果画面のうちの１つまたはそれを上回るものを備える、項目１に記載の装置。
（項目１８）
前記プロセッサは、前記遠隔サーバから前記物体の識別を受信し、前記識別を前記ユーザに表示する命令を備える、項目１に記載の装置。
（項目１９）
前記プロセッサは、前記遠隔サーバから複数の可能性として考えられる識別を受信し、前記複数の可能性として考えられる識別を前記ユーザに表示し、前記ユーザが前記複数の可能性として考えられる識別のうちの１つを選択することを可能にし、前記選択されたものを前記遠隔サーバに伝送する命令を備える、項目１に記載の装置。
（項目２０）
前記プロセッサは、前記ユーザが前記物体を味わうことに応答してユーザ入力を受信し、前記ユーザ入力を前記遠隔サーバに伝送する命令を備える、項目１に記載の装置。
（項目２１）
前記プロセッサは、前記遠隔サーバのスペクトルデータベースの複数の種類の物体の図形的描写を前記ユーザに表示する命令を備える、項目１に記載の装置。
（項目２２）
前記プロセッサは、ユーザが新しい種類の物体をスキャンしたという通知を前記遠隔サーバから受信し、前記通知を表示する命令を備える、項目１に記載の装置。
（項目２３）
前記プロセッサは、ユーザが新しい種類の物体をスキャンしたという通知を前記遠隔サーバから受信し、前記通知を表示する命令を備える、項目１に記載の装置。
（項目２４）
前記プロセッサは、前記携帯通信デバイス上にダウンロードされるユーザアプリケーションの命令を備え、前記携帯通信デバイスは、無線通信プロトコルを用いて前記分光器に連結されるスマートフォンを備える、項目１に記載の装置。
（項目２５）
前記プロセッサは、前記通信デバイスが前記分光器から前記物体のスキャンを待機しているというメッセージを前記通信デバイス上に表示する命令を備える、項目１に記載の装置。
（項目２６）
前記プロセッサは、１つまたはそれを上回る分光器制御を前記携帯通信デバイス上に表示する命令を備える、項目１に記載の装置。
（項目２７）
前記プロセッサは、前記ユーザが分光器を操作するための１つまたはそれを上回るユーザ選択可能アプリケーションを表示する命令を備える、項目１に記載の装置。
（項目２８）
スペクトルデータを受信し、前記スペクトルデータを遠隔サーバに伝送し、前記遠隔サーバからスペクトルデータを受信するために、携帯通信デバイスを分光器に連結するように構成される、アプリケーションの命令を具現化する有形的表現媒体を備える、プロセッサを備える、物体のスペクトルを測定する装置。
（項目２９）
スペクトルデータに応答して物体を識別するために、遠隔分光器から前記スペクトルデータを受信し、スペクトルデータのデータベースを前記スペクトルデータと比較する命令を備える、プロセッサを備える、装置。
（項目３０）
物体のスペクトルを測定する方法であって、
分光器を提供するステップと、
プロセッサと、前記分光器に連結し、遠隔サーバと通信する無線通信回路とを備える、携帯通信デバイスを提供するステップであって、前記プロセッサは、物体のスペクトルデータを遠隔サーバに伝送し、前記遠隔サーバからの前記スペクトルデータに応答して物体データを受信する命令を備える、ステップと
を含む、方法。
（項目３１）
前記分光器は、一意の識別を備え、前記携帯通信デバイスは、無線通信を用いて前記分光器から前記一意の識別を受信し、前記スペクトルデータとともに前記一意の識別を前記遠隔サーバに伝送する命令を含む、項目１に記載の装置。
（項目３２）
分光器からのスペクトルデータおよび前記分光器の一意の識別を受信する命令を伴うプロセッサを備える、携帯通信デバイスを備える、装置。
（項目３３）
分光器からのスペクトルデータおよび前記分光器の一意の識別を受信する命令を備える、遠隔サーバを備える、装置。
（項目３４）
前記遠隔サーバは、何百万もの分光器からスペクトルデータを受信し、較正されたスペクトルデータに応答して物体データを前記何百万もの分光器に伝送するように構成される、集中型クラウドベースのサーバを備える、項目１、項目３２、または項目３３に記載の装置。
（項目３５）
前記遠隔サーバは、
複数の分光器のための複数の一意の識別と、
前記複数の分光器のそれぞれのための較正データであって、前記複数の一意の識別のうちの１つと関連付けられる前記複数の分光器のそれぞれのための較正データと
を含む、項目１、項目３２、または項目３３に記載の装置。
（項目３６）
前記遠隔サーバは、前記スペクトルデータ、前記分光器の一意の識別、および前記一意の識別と関連付けられる前記遠隔サーバにおける較正データに応答して、較正されたスペクトルを判定する命令を備え、前記遠隔サーバは、前記較正されたスペクトルデータに応答して、物体データを前記携帯通信デバイスに伝送する命令を備える、項目３４に記載の装置。
（項目３７）
前記遠隔サーバは、
前記スペクトルデータ、モバイルデバイスを用いて測定される周囲温度、前記物体の温度、前記分光器の一意の識別、もしくは前記分光器に連結される前記携帯通信デバイスからの圧縮スペクトルデータのうちの１つまたはそれを上回るものを受信することと、
前記モバイルデバイスを用いて測定される前記周囲温度、前記物体の前記温度、前記分光器の前記一意の識別、もしくは前記分光器に連結される前記携帯通信デバイスからの圧縮スペクトルデータのうちの１つまたはそれを上回るものに応答して、較正されたスペクトルを判定することと、
前記較正されたスペクトルに応答して、前記物体データを判定することと、
前記物体データを前記携帯通信デバイスに出力することと
を行うように構成される、項目３４に記載の装置。
（項目３８）
前記遠隔サーバは、
複数の分光器に連結される複数の前記携帯通信デバイスから分光器および携帯通信デバイスデータを受信することと、
前記複数の分光器に連結される前記複数の携帯通信デバイスからの前記分光器および携帯通信デバイスデータを前記遠隔サーバのデータベース上に記憶することと、
前記複数の携帯通信デバイスの間で前記データベースの前記分光器および携帯通信デバイスデータを共有することと
を行うための命令を備える、項目３４に記載の装置。
（項目３９）
前記携帯通信デバイスデータは、測定されるときの前記スペクトルデータの場所、測定されるときの前記スペクトルデータの前記場所と関連付けられる格納部、前記スペクトルデータの時間、前記スペクトルデータの日付、前記スペクトルデータと関連付けられる温度、ある種類の物体タイプの要素としての前記物体のタイプを示すユーザ入力のうちの１つまたはそれを上回るものを含む、項目３４に記載の装置。
（項目４０）
前記プロセッサは、前記物体のタイプ、類似物体のスペクトルデータを示すマップ、前記類似物体の前記スペクトルデータに基づく前記類似物体の状態の指標を前記携帯通信デバイス上に表示する命令を備える、項目３４に記載の装置。
（項目４１）
前記プロセッサは、複数の分光器のスペクトルデータから導出される属性のマップであって、前記マップ上に場所を有するマップと、格納部の場所とをダウンロードする命令を備え、前記ユーザインターフェースは、前記ユーザによって選択されるタイプの物体のスペクトルデータに応答して、前記ユーザが前記格納部をクリックして物体データを表示するために構成される、項目３４に記載の装置。
（項目４２）
前記プロセッサは、経時的に前記格納部における前記物体のタイプのスペクトルデータに応答して物体データの時間プロファイルを表示する命令を伴って構成される、項目４１に記載の装置。
（項目４３）
前記プロセッサは、前記場所と関連付けられる１つまたはそれを上回るポップアップウィンドウを用いて、前記場所における複数のタイプの物体のスペクトルデータに応答して、複数の物体データプロファイルを備える複数のタイムラインを表示する命令を伴って構成される、項目４１に記載の装置。
（項目４４）
前記複数の物体データプロファイルは、果実もしくは乳製品のうちの１つまたはそれを上回るもの、および甘味もしくは脂肪のうちの１つまたはそれを上回るものの対応する量に対応する、前記ディスプレイ上に示されるグラフィックプロファイルを備える、項目４３に記載の装置。
（項目４５）
前記プロセッサもしくは前記遠隔サーバのプロセッサのうちの１つまたはそれを上回るものは、
摘み取られていない果実の固体可溶性含有量を判定する命令を備える、前記項目のいずれか１項に記載の装置。
（項目４６）
前記プロセッサもしくは前記遠隔サーバのプロセッサのうちの１つまたはそれを上回るものは、
窒素、リン酸塩、もしくはカリのうちの１つまたはそれを上回るもののスペクトルシグネチャに応答して、摘み取られていない植物または前記植物の付近の土壌の近赤外スペクトルの非破壊測定を用いて、前記摘み取られていない植物の施肥状態を判定する命令を備える、前記項目のいずれか１項に記載の装置。
（項目４７）
前記プロセッサもしくは前記遠隔サーバのプロセッサのうちの１つまたはそれを上回るものは、
植物のストレスの早期検出および疾患発症の検出を提供するために、前記植物の異なる部分のオンライン現場内スペクトル分析を判定する命令を備える、前記項目のいずれか１項に記載の装置。
（項目４８）
前記プロセッサもしくは前記遠隔サーバのプロセッサのうちの１つまたはそれを上回るものは、
畑の中の測定場所データとともに、前記畑の中の多くの点における土壌の施肥、散水、もしくは塩分のうちの１つまたはそれを上回るものを監視する命令を備える、前記項目のいずれか１項に記載の装置。
（項目４９）
前記プロセッサもしくは前記遠隔サーバのプロセッサのうちの１つまたはそれを上回るものは、
水のスペクトルシグネチャに応答して植物の葉の含水量を判定し、前記植物の散水状態を前記ユーザに提供するために前記含水量を前記ユーザに表示する命令を備える、前記項目のいずれか１項に記載の装置。
（項目５０）
前記プロセッサもしくは前記遠隔サーバのプロセッサのうちの１つまたはそれを上回るものは、
土壌の水分および施肥状態を判定し、前記水分および施肥状態を前記ユーザに表示する命令を備える、前記項目のいずれか１項に記載の装置。
（項目５１）
前記プロセッサもしくは前記遠隔サーバのプロセッサのうちの１つまたはそれを上回るものは、
丸薬の投薬もしくは前記丸薬のコーティングのうちの１つまたはそれを上回るもののスペクトルシグネチャに応答して、前記丸薬を識別する命令を備える、前記項目のいずれか１項に記載の装置。
（項目５２）
前記プロセッサもしくは前記遠隔サーバのプロセッサのうちの１つまたはそれを上回るものは、
大麻の花序の１つまたはそれを上回るスペクトル特徴に応答して、前記大麻の活性成分レベルを判定する命令を備える、前記項目のいずれか１項に記載の装置。
（項目５３）
前記プロセッサもしくは前記遠隔サーバのプロセッサのうちの１つまたはそれを上回るものは、
脂肪、炭水化物、もしくは水のうちの１つまたはそれを上回るものを含む、栄養素と、
カロリー値の推定値を含む、主要栄養素推定とを判定する命令を備える、前記項目のいずれか１項に記載の装置。
（項目５４）
前記プロセッサもしくは前記遠隔サーバのプロセッサのうちの１つまたはそれを上回るものは、
油の酸化もしくは酸性レベルのうちの１つまたはそれを上回るものに応答して、調理油品質査定を判定し、前記調理油品質査定を前記ユーザに表示する命令を備える、前記項目のいずれか１項に記載の装置。
（項目５５）
前記プロセッサもしくは前記遠隔サーバのプロセッサのうちの１つまたはそれを上回るものは、
細菌もしくは酵素に関係付けられる１つまたはそれを上回る化学的痕跡のスペクトルデータに応答して、食品品質を判定する命令を備える、前記項目のいずれか１項に記載の装置。
（項目５６）
前記プロセッサもしくは前記遠隔サーバのプロセッサのうちの１つまたはそれを上回るものは、
酵素プロセスもしくは含水量のうちの１つまたはそれを上回るもののスペクトルデータに応答して、果実成熟を判定する命令を備える、前記項目のいずれか１項に記載の装置。
（項目５７）
前記プロセッサもしくは前記遠隔サーバのプロセッサのうちの１つまたはそれを上回るものは、
脂肪酸組成に関係付けられるスペクトルデータに応答して、地溝油を識別する命令を備える、前記項目のいずれか１項に記載の装置。
（項目５８）
前記プロセッサもしくは前記遠隔サーバのプロセッサのうちの１つまたはそれを上回るものは、
食品中の１つまたはそれを上回る有害物質のスペクトルデータに応答して、食品安全性を判定する命令を備える、前記項目のいずれか１項に記載の装置。
（項目５９）
前記プロセッサもしくは前記遠隔サーバのプロセッサのうちの１つまたはそれを上回るものは、
ペットフードの肉および主要栄養素のスペクトルデータに応答して、ペットフード品質を判定する命令を備える、前記項目のいずれか１項に記載の装置。
（項目６０）
前記プロセッサもしくは前記遠隔サーバのプロセッサのうちの１つまたはそれを上回るものは、
宝石のスペクトルデータに応答して、前記宝石の真正性を判定する命令を備える、前記項目のいずれか１項に記載の装置。
（項目６１）
前記プロセッサもしくは前記遠隔サーバのプロセッサのうちの１つまたはそれを上回るものは、
スペクトルデータに応答して宝石の分類を判定し、前記分類に応答して前記宝石を選別する命令を備える、前記項目のいずれか１項に記載の装置。
（項目６２）
前記プロセッサもしくは前記遠隔サーバのプロセッサのうちの１つまたはそれを上回るものは、
前記物体のスペクトルデータに応答して、１つまたはそれを上回る爆発物を識別し、異なる場所および時間で識別される爆破物を結び付ける命令を備える、前記項目のいずれか１項に記載の装置。
（項目６３）
前記プロセッサもしくは前記遠隔サーバのプロセッサのうちの１つまたはそれを上回るものは、
前記物体のスペクトルデータに応答して、１つまたはそれを上回る薬剤を識別する命令を備える、前記項目のいずれか１項に記載の装置。
（項目６４）
前記プロセッサもしくは前記遠隔サーバのプロセッサのうちの１つまたはそれを上回るものは、
前記物体のスペクトルデータに応答して、アルコール飲料の認証を判定する命令を備える、前記項目のいずれか１項に記載の装置。
（項目６５）
前記プロセッサもしくは前記遠隔サーバのプロセッサのうちの１つまたはそれを上回るものは、
前記物体の原物の証拠としての前記物体の赤外線スペクトルに応答して、前記物体を本物として識別する命令を備える、前記項目のいずれか１項に記載の装置。
（項目６６）
前記プロセッサもしくは前記遠隔サーバのプロセッサのうちの１つまたはそれを上回るものは、
ヒトまたは動物の身体の複数の場所における皮下脂肪組織の測定された厚さに応答して、体脂肪を判定する命令を備え、前記測定された厚さは、前記複数の場所において皮膚を通して測定されるスペクトルに応答して判定される、前記項目のいずれか１項に記載の装置。
（項目６７）
前記プロセッサもしくは前記遠隔サーバのプロセッサのうちの１つまたはそれを上回るものは、
皮膚を通して測定され、皮膚形態に関係付けられるスペクトルデータに応答して、ヒトまたは動物対象の脱水を判定する命令を備える、前記項目のいずれか１項に記載の装置。
（項目６８）
前記プロセッサもしくは前記遠隔サーバのプロセッサのうちの１つまたはそれを上回るものは、
皮膚を通して、または試料コンテナの中で測定される血液のスペクトルデータに応答して、対象のヘモグロビンのレベルを判定する命令を備える、前記項目のいずれか１項に記載の装置。
（項目６９）
前記プロセッサもしくは前記遠隔サーバのプロセッサのうちの１つまたはそれを上回るものは、
血液を検査し、コンテナの中に配置された血液を用いて測定される血液試料のスペクトルデータに応答して、血液成分を判定する命令を備える、前記項目のいずれか１項に記載の装置。
（項目７０）
前記プロセッサもしくは前記遠隔サーバのプロセッサのうちの１つまたはそれを上回るものは、
尿を分析し、前記スペクトルデータに応答して、ナトリウム、カリウム、もしくはクレアチニンのうちの１つまたはそれを上回るものの量を判定する命令を備える、前記項目のいずれか１項に記載の装置。
（項目７１）
前記プロセッサもしくは前記遠隔サーバのプロセッサのうちの１つまたはそれを上回るものは、
病変、創傷、ほくろ、しみ、組織低酸素、深部組織損傷、もしくは黒色腫のうちの１つまたはそれを上回るものの存在を判定するように皮膚を分析する命令を備える、前記項目のいずれか１項に記載の装置。
（項目７２）
前記プロセッサもしくは前記遠隔サーバのプロセッサのうちの１つまたはそれを上回るものは、
毛髪タイプ、ローション、シャンプー、コンディショナー、もしくはヘアローションクリームのうちの１つまたはそれを上回るものに関係付けられる毛髪の前記スペクトルデータに応答して、前記毛髪を分析する命令を備える、前記項目のいずれか１項に記載の装置。
（項目７３）
対象のナトリウム摂取の量を測定する装置であって、
対象の尿で提供されるナトリウム、カリウム、もしくはクレアチニンのうちの１つまたはそれを上回るものを測定するセンサと、
前記尿で提供されるナトリウム、カリウム、もしくはクレアチニンのうちの前記１つまたはそれを上回るものに応答して、経口ナトリウム摂取の量を判定する命令を備える、プロセッサと
を備える、装置。
（項目７４）
前記センサは、分光器もしくは電気化学センサのうちの１つまたはそれを上回るものを備える、項目７３に記載の装置。
（項目７５）
前記センサは、尿瓶もしくはトイレのうちの１つまたはそれを上回るものの中に配置される組込型センサを備える、項目７３に記載の装置。
（項目７６）
前記プロセッサもしくは前記遠隔サーバのプロセッサのうちの１つまたはそれを上回るものは、
尿で提供される前記クレアチニンの量、および前記クレアチニンの量に応答した前記経口ナトリウム摂取の量を判定することと、
前記尿で提供されるカリウムの量、および前記カリウムの量に応答した前記経口ナトリウム摂取の量を判定することと
を行うための命令を備える、前記項目のいずれか１項に記載の装置。
（項目７７）
前記経口ナトリウム摂取の量は、正規化された量を含み、前記プロセッサもしくは前記遠隔サーバのプロセッサのうちの１つまたはそれを上回るものは、前記ナトリウムの量を、前記尿で提供される前記クレアチニンの量もしくは前記尿で提供されるカリウムの量のうちの１つまたはそれを上回るもので除算することによって、前記正規化された量を判定する命令を備える、項目７６に記載の装置。
（項目７８）
試料のスペクトルを測定する光学分光器であって、
支持体上に配列される複数の光源と、
前記複数の光源からの距離に位置する光学拡散板と、
前記複数の光源からの光で照射される前記試料から多重化光学信号を受信する、１つまたはそれを上回る光検出器と、
前記多重化光学信号を受信するように前記１つまたはそれを上回る光検出器に連結される、回路と
を備える、光学分光器。
（項目７９）
前記複数の光源からの前記距離より大きい第２の距離に位置する、第２の光学拡散板をさらに備える、項目７８に記載の分光器。
（項目８０）
前記複数の光源のそれぞれは、前記支持体上に搭載され、前記複数の光源は、アレイに配列され、前記第１の拡散板および前記第２の拡散板は、前記試料の実質的に一様な照射パターンを提供するように配列される、項目７９に記載の分光器。
（項目８１）
前記支持体は、プリント回路基板を備え、前記複数の光源のそれぞれは、発光ダイオードを備える、項目８０に記載の分光器。
（項目８２）
前記光源から固定距離で前記第１の拡散板および前記第２の拡散板を支持するように筐体をさらに備え、前記筐体の内面は、前記筐体の内面からの光の反射を阻止するように複数の光吸収構造を備える、項目７９に記載の分光器。
（項目８３）
前記複数の光吸収構造は、複数のバッフルもしくは複数のねじ山のうちの１つまたはそれを上回るものを備える、項目８２に記載の分光器。
（項目８４）
前記筐体の前記内面は、内径を画定し、前記第１の拡散板と前記第２の拡散板との間の分離距離は、前記内面と画定される直径のみを含み、前記第１の拡散板は、前記複数の光源のそれぞれからの光のために、前記第２の拡散板上に実質的に一様な照射パターンを提供する、項目８２に記載の分光器。
（項目８５）
前記第１の拡散板は、複数の場所のそれぞれの場所における前記複数の光源のそれぞれからの類似量の光で前記第２の拡散板を照射するために、前記第１の距離より大きい分離距離で前記第２の拡散板から分離される、項目７９に記載の分光器。
（項目８６）
前記第２の距離は、前記第１の距離の少なくとも約２倍である、項目８５に記載の分光器。
（項目８７）
前記複数の場所のそれぞれにおける前記類似量の光は、前記第２の拡散板にわたって平均値のわずか約１０パーセントのエネルギープロファイル変動を伴うエネルギープロファイルを備える、一様な照射パターンを備える、項目８５に記載の分光器。
（項目８８）
前記光学信号は、時分割多重化光学信号または周波数分割多重化光学信号を備える、項目７８に記載の分光器。
（項目８９）
前記多重化光学信号は、運動関連システム雑音を阻止するために、前記周波数分割多重化光学信号を備える、項目８８に記載の分光器。
（項目９０）
前記多重化光学信号は、前記周波数分割多重化光学信号を備え、前記回路は、前記複数の光源のそれぞれの周波数符号化に応答して、前記複数の光源のそれぞれからの光の強度を判定する命令を具現化する、有形的表現媒体を有する、プロセッサを備える、項目８８に記載の分光器。
（項目９１）
前記光源に対応する識別可能周波数において前記光源のそれぞれを駆動するように構成される、駆動回路をさらに備え、前記プロセッサは、前記識別可能周波数の強度に基づいて、前記複数の光源の前記それぞれからの光の強度を判定する命令を備える、項目９０に記載の分光器。
（項目９２）
前記多重化光学信号は、時分割多重化光学信号を備え、回路は、一連の前記複数の光源のそれぞれで前記試料を照射し、前記一連の前記複数の光源の前記それぞれについて前記１つまたはそれを上回る検出器を用いて測定される光エネルギーに応答して、前記スペクトルを判定するように構成される、項目８８に記載の分光器。
（項目９３）
前記１つまたはそれを上回る光検出器は、複数の波長の光を測定する複数の光検出器を備え、前記複数の光検出器は、可視光を測定する第１の光検出器と、赤外光を測定する第２の光検出器とを備える、項目７８に記載の分光器。
（項目９４）
前記複数の光検出器からの距離に位置するレンズをさらに備え、前記複数の光検出器は、前記複数の光検出器の視野を画定するために近接して位置し、前記視野は、前記複数の光源の照射パターンと重複する、項目７８に記載の分光器。
（項目９５）
前記複数の光源のそれぞれからの光を用いて実質的に一様な照射を提供するために、前記第１の距離および前記第２の距離より大きい距離において前記複数の光源から分離される第３の拡散板をさらに備える、項目７９に記載の分光器。
（項目９６）
筐体の内面の反射を阻止するために、前記第１の拡散板と前記第２の拡散板との間および前記第２の拡散板と前記第３の拡散板との間で前記筐体の前記内面上に位置する複数の光吸収構造をさらに備える、項目９５に記載の分光器。
（項目９７）
前記第２の拡散板に向かって光エネルギーを指向するために、前記第１の拡散板と前記第２の拡散板との間に位置する１つまたはそれを上回るレンズをさらに備える、項目７９に記載の分光器。
（項目９８）
前記第１の複数の光源と前記第１の拡散板との間に位置する第１の光学的透過性カバープレートと、前記第２の拡散板の第１の側面から離れて前記第２の拡散板の第２の側面上に位置する第２の光学的透過性カバープレートとをさらに備え、前記第１の側面は、前記複数の光源に向かって配向され、筐体が、前記第１の拡散板および前記第２の拡散板を筐体ならびに前記第１の光学的透過性カバープレートおよび前記第２の光学的透過性カバープレートで封入するために、前記第１の光学的透過性カバープレートおよび前記第２の光学的透過性カバープレートの周囲に延在する、項目７９に記載の分光器。
（項目９９）
前記複数の光源は、少なくとも１０個の発光ダイオードを備える、項目７８に記載の分光器。
（項目１００）
分析される物質から光スペクトルを収集するための分光デバイスであって、
前記分析される物質から入射光を受光し、散光を透過させるように構成される、拡散板と、
前記拡散板によって透過させられる前記散光の一部を受光し、前記拡散板によって透過させられる前記散光と関連付けられる波長に角度的に関係付けられる光のパターンを出力するように構成される、第１のフィルタ要素であって、前記第１のフィルタ要素は、第１の波長範囲内の波長に応答する、第１のフィルタ要素と、
前記拡散板によって透過させられる前記散光の一部を受光し、前記拡散板によって透過させられる前記散光と関連付けられる波長に角度的に関係付けられる光のパターンを出力するように構成される、第２のフィルタ要素であって、前記第２のフィルタ要素は、前記第１の波長範囲と異なる第２の波長範囲内の波長に応答するが、前記第２の波長範囲は、前記第１の波長範囲と部分的に重複する、第２のフィルタ要素と
を備える、デバイス。
（項目１０１）
前記第１の波長範囲は、約４００ｎｍ〜約１１００ｎｍの波長範囲内に入る、項目１００に記載のデバイス。
（項目１０２）
前記第２の波長範囲は、約４００ｎｍ〜約１１００ｎｍの波長範囲内に入る、項目１００に記載のデバイス。
（項目１０３）
前記第２の波長範囲は、前記第２の波長範囲の少なくとも２％だけ前記第１の波長範囲に重複する、項目１００に記載のデバイス。
（項目１０４）
前記第２の波長範囲は、前記第２の波長範囲の約１％〜５％の量だけ前記第１の波長範囲に重複する、項目１００に記載のデバイス。
（項目１０５）
前記第１および第２のフィルタ要素は、アレイに配列される複数のフィルタ要素内に含まれる、項目１００に記載のデバイス。
（項目１０６）
前記感光性検出器の出力に基づいて、尿中のナトリウムレベルを検出するように構成される、少なくとも１つの処理デバイスをさらに備える、項目１００に記載のデバイス。
（項目１０７）
前記感光性検出器の出力に基づいて、尿中の尿素レベルを検出するように構成される、少なくとも１つの処理デバイスをさらに備える、項目１００に記載のデバイス。
（項目１０８）
前記感光性検出器の出力に基づいて、食品中に存在する炭水化物の量を検出するように構成される、少なくとも１つの処理デバイスをさらに備える、項目１００に記載のデバイス。
（項目１０９）
前記感光性検出器の出力に基づいて、予期される医薬組成を含む、前記分析される物質を確認するように構成される、少なくとも１つの処理デバイスをさらに備える、項目１００に記載のデバイス。
（項目１１０）
前記感光性検出器の出力に基づいて、予期されるアルコール飲料組成を含む、前記分析される物質を確認するように構成される、少なくとも１つの処理デバイスをさらに備える、項目１００に記載のデバイス。
（項目１１１）
前記感光性検出器の出力に基づいて、飲料中に存在するメタノールまたはガンマヒドロキシ酪酸の量を検出するように構成される、少なくとも１つの処理デバイスをさらに備える、項目１００に記載のデバイス。
（項目１１２）
前記第１の波長範囲と前記第２の波長範囲との間の重複は、前記第１のフィルタ要素および前記第２のフィルタ要素の出力にわたって利得のアルゴリズム補正を提供するように構成され得る、項目１００に記載のデバイス。
（項目１１３）
前記第１のフィルタ要素、前記第２のフィルタ要素、ならびに前記第１および第２のフィルタ要素の支持アレイのうちの１つまたはそれを上回るものは、光を吸収するように構成される黒色コーティングのうちの１つまたはそれを上回るものを備え得る、項目１００に記載のデバイス。
（項目１１４）
分析される物質から光スペクトルを収集するための分光デバイスであって、
前記分析される物質から入射光を受光し、散光を透過させるように構成される、拡散板と、
フィルタのアレイであって、各フィルタは、前記拡散板によって透過させられる前記散光の一部を受光し、前記拡散板によって透過させられる前記散光と関連付けられる波長に角度的に関係付けられる光のパターンを出力するように構成され、前記アレイの中の少なくとも第１のフィルタは、第２のフィルタによって出力される前記光のパターンの中の少なくとも１つの特徴が、前記第１のフィルタによって出力される前記光のパターンの中の少なくとも１つの特徴と関連付けられるように、前記アレイの中の少なくとも前記第２のフィルタにおいてクロストークを誘発するように構成される、フィルタのアレイと、
各フィルタによって出力される前記光のパターンを受光するように構成される、感光性検出器と
を備える、デバイス。
（項目１１５）
前記第１のフィルタによって受光される前記光は、前記感光性検出器上に非同心円状の輪のパターンをもたらす、項目１１４に記載のデバイス。
（項目１１６）
各フィルタは、関連レンズを備える、項目１１４に記載のデバイス。
（項目１１７）
各フィルタは、波長の範囲と関連付けられる、項目１１４に記載のデバイス。
（項目１１８）
第１のフィルタと関連付けられる第１の波長の範囲は、第２のフィルタと関連付けられる第２の波長の範囲と部分的に重複する、項目１１４に記載のデバイス。
（項目１１９）
前記デバイスはさらに、前記分光デバイスのスペクトル分解能の少なくとも５倍だけ分離される２つの異なる波長が、前記フィルタのアレイを通過するときに、少なくとも２つのフィルタからの光が前記感光性検出器の少なくとも１つの共通ピクセルに衝突するように構成される、項目１１４に記載のデバイス。
（項目１２０）
前記フィルタのアレイによって出力される前記光をともに繋ぎ合わせて、前記入射光と関連付けられるスペクトルを生成または再構築するように構成される、少なくとも１つの処理デバイスをさらに備える、項目１１４に記載のデバイス。
（項目１２１）
前記感光性検出器の出力に基づいて尿中のナトリウムレベルを検出するように構成される、少なくとも１つの処理デバイスをさらに備える、項目１１４に記載のデバイス。
（項目１２２）
前記感光性検出器の出力に基づいて尿中の尿素レベルを検出するように構成される、少なくとも１つの処理デバイスをさらに備える、項目１１４に記載のデバイス。
（項目１２３）
前記感光性検出器の出力に基づいて食品中に存在する炭水化物の量を検出するように構成される、少なくとも１つの処理デバイスをさらに備える、項目１１４に記載のデバイス。
（項目１２４）
前記感光性検出器の出力に基づいて、予期される医薬組成を含む、前記分析される物質を確認するように構成される、少なくとも１つの処理デバイスをさらに備える、項目１１４に記載のデバイス。
（項目１２５）
前記感光性検出器の出力に基づいて、予期されるアルコール飲料組成を含む、前記分析される物質を確認するように構成される、少なくとも１つの処理デバイスをさらに備える、項目１１４に記載のデバイス。
（項目１２６）
前記感光性検出器の出力に基づいて、飲料中に存在するメタノールまたはガンマヒドロキシ酪酸の量を検出するように構成される、少なくとも１つの処理デバイスをさらに備える、項目１１４に記載のデバイス。
（項目１２７）
分析される物質から光スペクトルを収集するための分光デバイスであって、
第１の波長範囲内の放射線を放出するように構成される、第１の放射線エミッタと、
第２の波長範囲内の放射線を放出するように構成される、第２の放射線エミッタであって、前記第２の波長範囲は、前記第１の波長範囲と異なる、第２の放射線エミッタと、
前記第１の放射線エミッタから放出される前記放射線および第２の放射線エミッタから放出される前記放射線を入力として受光し、前記物質を分析する際に使用するための照明放射線を出力として提供するように構成される、放射線拡散ユニットであって、前記放射線拡散ユニットは、第１の拡散板要素と、第２の拡散板要素と、前記第１の拡散板要素と前記第２の拡散板要素との間に配置される少なくとも１つのレンズとを備える、放射線拡散ユニットと
を備える、デバイス。
（項目１２８）
前記第１の拡散板要素は、前記第１の拡散板要素からの方向のそれぞれにおける前記第１の拡散板要素の出力が一様であるように、前記レンズの開口面に配置される、項目１２７に記載のデバイス。
（項目１２９）
前記第１の放射線エミッタは、発光ダイオードを含む、項目１２７に記載のデバイス。
（項目１３０）
前記第２の放射線エミッタは、発光ダイオードを含む、項目１２７に記載のデバイス。
（項目１３１）
前記第１の放射線エミッタおよび前記第２の放射線エミッタのうちの少なくとも１つは、レーザを含む、項目１２７に記載のデバイス。
（項目１３２）
第３および第４の放射線エミッタをさらに含む、項目１２７に記載のデバイス。
（項目１３３）
前記第１の放射線エミッタおよび前記第２の放射線エミッタによって放出される前記放射線は、時間多重化される、項目１２７に記載のデバイス。
（項目１３４）
前記第１の放射線エミッタおよび前記第２の放射線エミッタによって放出される前記放射線は、周波数変調される、項目１２７に記載のデバイス。
（項目１３５）
前記第１の放射線エミッタおよび前記第２の放射線エミッタによって放出される前記放射線は、それぞれ異なる周波数において振幅変調される、項目１２７に記載のデバイス。
（項目１３６）
前記物質と前記放射線拡散ユニットによって提供される前記照明放射線との間の相互作用の結果として、前記物質から収集される光の中の１つまたはそれを上回るスペクトル成分に対して感受性がある、感光性検出器をさらに備える、項目１２７に記載のデバイス。
（項目１３７）
前記感光性検出器の出力に基づいて尿中のナトリウムレベルを検出するように構成される、少なくとも１つの処理デバイスをさらに備える、項目１３６に記載のデバイス。
（項目１３８）
前記感光性検出器の出力に基づいて尿中の尿素レベルを検出するように構成される、少なくとも１つの処理デバイスをさらに備える、項目１３６に記載のデバイス。
（項目１３９）
前記感光性検出器の出力に基づいて食品中に存在する炭水化物の量を検出するように構成される、少なくとも１つの処理デバイスをさらに備える、項目１３６に記載のデバイス。
（項目１４０）
前記感光性検出器の出力に基づいて、予期される医薬組成を含む、前記分析される物質を確認するように構成される、少なくとも１つの処理デバイスをさらに備える、項目１３６に記載のデバイス。
（項目１４１）
前記感光性検出器の出力に基づいて、予期されるアルコール飲料組成を含む、前記分析される物質を確認するように構成される、少なくとも１つの処理デバイスをさらに備える、項目１３６に記載のデバイス。
（項目１４２）
前記感光性検出器の出力に基づいて、飲料中に存在するメタノールまたはガンマヒドロキシ酪酸の量を検出するように構成される、少なくとも１つの処理デバイスをさらに備える、項目１３６に記載のデバイス。
（項目１４３）
環境からの少なくとも１つの物質を分析するための携帯用デバイスであって、
前記少なくとも１つの物質から光スペクトルを収集し、分光器と関連付けられる感光性検出器に提供される光のパターンを表す信号を含む出力を提供するように構成される、分光器であって、前記光のパターンは、前記少なくとも１つの物質から収集される前記光スペクトルと関連付けられる波長に空間的に関係付けられる、分光器と、
少なくとも１つの処理デバイスであって、
前記分光器の前記出力を受信することと、
前記少なくとも１つの物質を含む前記環境の少なくとも１つの側面と関連付けられる信号を生成するように構成される、少なくとも１つの付加的センサから出力を受信することと、
前記分析される物質の少なくとも１つの特性に関する情報を表示ユニットに提供することであって、前記情報は、前記分光器の前記出力および前記少なくとも１つの付加的センサの前記出力の両方の分析に基づいて発生される、ことと
を行うように構成されている、少なくとも１つの処理デバイスと
を備える、デバイス。
（項目１４４）
前記少なくとも１つの付加的センサは、前記分光器とともに前記携帯用デバイス上に位置する、項目１４３に記載のデバイス。
（項目１４５）
前記表示ユニットは、前記分光器とともに前記携帯用デバイス上に位置する、項目１４３に記載のデバイス。
（項目１４６）
前記分光器の前記出力および前記少なくとも１つの付加的センサの前記出力は両方とも、前記少なくとも１つの処理デバイスによって分析される、項目１４３に記載のデバイス。
（項目１４７）
前記少なくとも１つの付加的センサは、カメラ、温度センサ、容量センサ、抵抗センサ、伝導度センサ、インダクタンスセンサ、高度計、全地球測位システムユニット、濁度センサ、ｐＨセンサ、加速度計、振動センサ、バイオメトリックセンサ、化学センサ、色センサ、クロック、周囲光センサ、マイクロホン、透過度計、デュロメータ、バーコードリーダ、流量計、速度計、磁力計、および別の分光器のうちの１つまたはそれを上回るものを含む、項目１４３に記載のデバイス。
（項目１４８）
環境からの少なくとも１つの物質を分析するための携帯用分析システムであって、
前記少なくとも１つの物質から光スペクトルを収集し、分光器と関連付けられる感光性検出器に提供される光のパターンを表す信号を含む出力を提供するように構成される、分光器であって、前記光のパターンは、前記少なくとも１つの物質から収集される前記光スペクトルと関連付けられる波長に空間的に関係付けられる、分光器と、
少なくとも１つの処理デバイスであって、
ディスプレイ用のユーザインターフェースを生成することであって、前記ユーザインターフェースは、前記少なくとも１つの物質から収集される前記光スペクトルに対して行われる第１のタイプの分析と関連付けられる、第１のユーザ選択可能インターフェース要素を含み、前記ユーザインターフェースはまた、前記少なくとも１つの物質から収集される前記光スペクトルに対して行われる第２のタイプの分析と関連付けられる、少なくとも第２のユーザ選択可能インターフェース要素も含み、前記第２のタイプの分析は、少なくとも１つの側面で前記第１のタイプの分析と異なる、ことと、
前記第１のユーザ選択可能インターフェース要素の選択または前記第２のユーザ選択可能インターフェース要素の選択が起こったかどうかを判定することと、
前記選択されたユーザインターフェース要素と関連付けられる前記タイプの分析の実施を引き起こすことと、
行われる前記分析に関する情報を前記ディスプレイに提供することと
を行うように構成される、少なくとも１つの処理デバイスと
を備える、システム。
（項目１４９）
前記システムはさらに、ディスプレイを含む、項目１４８に記載のシステム。
（項目１５０）
前記分光器は、第１のモバイルデバイスと関連付けられ、前記ディスプレイは、前記第１のモバイルデバイスと異なる第２のモバイルデバイスと関連付けられる、項目１４９に記載のシステム。
（項目１５１）
前記第２のモバイルデバイスは、携帯電話を含む、項目１５０に記載のシステム。
（項目１５２）
前記第１のタイプの分析および前記第２のタイプの分析のうちの１つまたはそれを上回るものは、食品中の脂肪含量、食品中の糖含量、食品中のタンパク質含量、食品中のグルテン含量、物質中の水分レベル、ワインの特性、チーズの特性、食品中の繊維含量、食品中の腐敗作用物質、食品組成、医薬組成、物質真正性、毒性物質の存在、ガス組成、水質、および尿組成のうちの１つまたはそれを上回るものに関する、項目１４８に記載のシステム。
（項目１５３）
前記第１のユーザ選択可能インターフェース要素および前記第２のユーザ選択可能インターフェース要素のうちの少なくとも１つは、分光分析アプリケーションと関連付けられるアイコンを含む、項目１４８に記載のシステム。
（項目１５４）
前記第１のユーザ選択可能インターフェース要素および前記第２のユーザ選択可能インターフェース要素のうちの少なくとも１つは、複数の利用可能な分析機能の間に含まれる分析識別子を含む、項目１４８に記載のシステム。
（項目１５５）
前記分析識別子は、画像を含む、項目１５４に記載のシステム。
（項目１５６）
前記分析識別子は、テキストを含む、項目１５４に記載のシステム。
（項目１５７）
分析データが、前記第１のユーザ選択可能インターフェース要素および前記第２のユーザ選択可能インターフェース要素と関連付けられるアプリケーションの間で共有されることができる、項目１４８に記載のシステム。
（項目１５８）
前記少なくとも１つの物質から収集される前記光スペクトルに対して行われる第３のタイプの分析と関連付けられる、少なくとも第３のユーザ選択可能インターフェース要素をさらに含み、前記第３のタイプの分析は、前記第１のタイプの分析および前記第２のタイプの分析と異なる少なくとも１つの側面を含む、項目１４８に記載のシステム。
（項目１５９）
環境からの少なくとも１つの物質を分析するための携帯用分析システムであって、
前記少なくとも１つの物質から光スペクトルを収集し、分光器と関連付けられる感光性検出器に提供される光のパターンを表す信号を含む出力を提供するように構成される、分光器であって、前記光のパターンは、前記少なくとも１つの物質から収集される前記光スペクトルと関連付けられる波長に空間的に関係付けられる、分光器と、
少なくとも１つの処理デバイスであって、
前記分光器から前記出力を受信することと、
前記出力に基づいて、前記少なくとも１つの物質から収集される前記光スペクトルに対して行われる第１のタイプの分析と、前記少なくとも１つの物質から収集される前記光スペクトルに対して行われる第２のタイプの分析との間で選択することであって、前記第２のタイプの分析は、少なくとも１つの側面で前記第１のタイプの分析と異なる、ことと、
前記選択されたタイプの分析の実施を引き起こすことと、
前記自動的に選択されたタイプの行われる分析に関する情報をディスプレイに提供することと
を行うように構成される、少なくとも１つの処理デバイスと
を備える、システム。
（項目１６０）
前記第１および第２のタイプの分析の間の選択は、前記分光器によって提供される前記出力の少なくとも１つの特性に基づいて自動的に行われる、項目１５９に記載のシステム。
（項目１６１）
前記少なくとも１つの特性は、ワインを含む物質を示す、項目１５９に記載のシステム。
（項目１６２）
前記少なくとも１つの特性は、チーズを含む物質を示す、項目１５９に記載のシステム。
（項目１６３）
前記少なくとも１つの特性は、複数の食品タイプを含む物質を示す、項目１５９に記載のシステム。
（項目１６４）
前記第１および第２のタイプの分析の間の選択は、ユーザ入力に基づく、項目１５９に記載のシステム。
（項目１６５）
前記第１のタイプの分析および前記第２のタイプの分析のうちの１つまたはそれを上回るものは、食品中の脂肪含量、食品中の糖含量、食品中のタンパク質含量、食品中のグルテン含量、物質中の水分レベル、ワインの特性、チーズの特性、食品中の繊維含量、食品中の腐敗作用物質、食品組成、医薬組成、物質真正性、毒性物質の存在、ガス組成、水質、および尿組成のうちの１つまたはそれを上回るものに関する、項目１５９に記載のシステム。
（項目１６６）
前記環境を表す画像データを取得するように構成される画像捕捉デバイスをさらに含む、項目１５９に記載のシステム。
（項目１６７）
前記画像捕捉デバイスは、カメラを含み、前記少なくとも１つの処理デバイスはさらに、
前記画像捕捉デバイスによって取得された前記画像データを受信することと、
前記第１のタイプの分析または前記第２のタイプの分析の前記選択で前記画像データの少なくとも一部を使用することと
を行うように構成される、項目１６６に記載のシステム。
（項目１６８）
前記少なくとも１つの処理デバイスは、前記画像データに基づいて前記環境からの前記少なくとも１つの物質の特性を認識し、前記認識された特性に基づいて前記第１のタイプの分析と前記第２のタイプの分析との間で選択するように構成される、項目１５９に記載のシステム。
（項目１６９）
前記認識された特性は、前記少なくとも１つの物質が、ワイン、チーズ、もしくは他の食品タイプのうちの１つまたはそれを上回るものを含むことである、項目１６８に記載のシステム。
（項目１７０）
前記第１および第２のタイプの分析の前記選択はさらに、所定の階層に基づく、項目１５９に記載のシステム。
（項目１７１）
前記システムはさらに、ディスプレイを備える、項目１５９に記載のシステム。
（項目１７２）
前記分光器は、第１のモバイルデバイスと関連付けられ、前記ディスプレイは、前記第１のモバイルデバイスと異なる第２のモバイルデバイスと関連付けられる、項目１５９に記載のシステム。
（項目１７３）
前記第２のモバイルデバイスは、携帯電話を含む、項目１７２に記載のシステム。
（項目１７４）
燃料の特性を分析するための分光デバイスであって、
前記分析される物質から入射光を受光し、散光を透過させるように構成される、拡散板と、
フィルタのアレイであって、各フィルタは、前記拡散板によって透過させられる前記散光の一部を受光し、前記拡散板によって透過させられる前記散光と関連付けられる波長に角度的に関係付けられる光のパターンを出力するように構成される、フィルタのアレイと、
前記フィルタのアレイから出力される前記光のパターンを受光し、前記受光された光のパターンを表す出力信号を提供するように構成される、感光性検出器と、
少なくとも１つの処理デバイスであって、
前記感光性検出器の前記出力信号を受信することと、
前記出力信号の分析に基づいて、前記燃料と関連付けられる少なくとも１つの特性を判定することと、
前記少なくとも１つの特性に関する情報をディスプレイに提供することと
を行うように構成される、少なくとも１つの処理デバイスと
を備える、デバイス。
（項目１７５）
前記フィルタのアレイと前記感光性検出器との間に配置されるレンズのアレイをさらに含み、前記レンズのアレイの中の各レンズは、前記フィルタのアレイの中の対応するフィルタと関連付けられる、項目１７４に記載のデバイス。
（項目１７６）
前記少なくとも１つの特性は、前記燃料と関連付けられる判定されたタイプを含む、項目１７４に記載のデバイス。
（項目１７７）
前記少なくとも１つの特性は、前記燃料と関連付けられる判定された汚染物質レベルを含む、項目１７４に記載のデバイス。
（項目１７８）
前記少なくとも１つの特性は、前記燃料と関連付けられる判定されたオクタンレベルを含む、項目１７４に記載のデバイス。
（項目１７９）
前記少なくとも１つの特性は、前記燃料と関連付けられる判定されたセタンレベルを含む、項目１７４に記載のデバイス。
（項目１８０）
前記少なくとも１つの特性は、前記燃料と関連付けられる物質組成を含む、項目１７４に記載のデバイス。
（項目１８１）
ディスプレイをさらに備える、項目１７４に記載のデバイス。
（項目１８２）
前記デバイスは、車両構成要素との統合のために構成される、項目１７４に記載のデバイス。
（項目１８３）
前記車両構成要素は、前記車両の燃料システム構成要素を含む、項目１８２に記載のデバイス。
（項目１８４）
前記車両構成要素は、前記車両の燃料タンク、燃料ライン、または燃料噴射器のうちの少なくとも１つを含む、項目１８２に記載のデバイス。
（項目１８５）
農産物の特性を分析するための分光デバイスであって、
前記分析される物質から入射光を受光し、散光を透過させるように構成される、拡散板と、
フィルタのアレイであって、各フィルタは、前記拡散板によって透過させられる前記散光の一部を受光し、前記拡散板によって透過させられる前記散光と関連付けられる波長に角度的に関係付けられる光のパターンを出力するように構成される、フィルタのアレイと、
前記フィルタのアレイから出力される前記光のパターンを受光し、前記受光された光のパターンを表す出力信号を提供するように構成される、感光性検出器と、
少なくとも１つの処理デバイスであって、
前記感光性検出器の前記出力信号を受信することと、
前記出力信号の分析に基づいて、燃料と関連付けられる少なくとも１つの特性を判定することと、
前記少なくとも１つの特性に関する情報をディスプレイに提供することと
を行うように構成される、少なくとも１つの処理デバイスと
を備える、デバイス。
（項目１８６）
前記フィルタのアレイと前記感光性検出器との間に配置されるレンズのアレイをさらに含み、前記レンズのアレイの中の各レンズは、前記フィルタのアレイの中の対応するフィルタと関連付けられる、項目１８５に記載のデバイス。
（項目１８７）
前記少なくとも１つの特性は、前記農産物と関連付けられる判定されたタイプを含む、項目１８５に記載のデバイス。
（項目１８８）
前記少なくとも１つの特性は、前記農産物の判定された成熟レベルを含む、項目１８５に記載のデバイス。
（項目１８９）
前記少なくとも１つの特性は、前記農産物の判定された湿度レベルを含む、項目１８５に記載のデバイス。
（項目１９０）
前記農産物は、穀物、米、コーヒー、香辛料、油糧種子、または飼料のうちの少なくとも１つを含む、項目１８５に記載のデバイス。
（項目１９１）
前記農産物は、牛乳を含み、前記少なくとも１つの特性は、前記牛乳の判定された脂肪含量を含む、項目１８５に記載のデバイス。
（項目１９２）
前記農産物の別の特性が判定されることができる出力を提供するように構成される、少なくとも１つのセンサをさらに含む、項目１８５に記載のデバイス。
（項目１９３）
前記少なくとも１つの処理デバイスは、前記少なくとも１つの特性および前記別の特性に基づいて判定される情報を前記ディスプレイに提供するように構成される、項目１９２に記載のデバイス。
（項目１９４）
前記別の特性は、硬度レベルを含む、項目１９２に記載のデバイス。
（項目１９５）
ディスプレイをさらに含む、項目１９２に記載のデバイス。
（項目１９６）
前記デバイスは、アルコール飲料中のメタノールを検出するように構成される、項目１９２に記載のデバイス。
（項目１９７）
前記デバイスは、乳製品中のメラミンを検出するように構成される、項目１９２に記載のデバイス。
（項目１９８）
電力変換構成要素の特性を分析するための分光デバイスであって、
前記分析される物質から入射光を受光し、散光を透過させるように構成される、拡散板と、
フィルタのアレイであって、各フィルタは、前記拡散板によって透過させられる前記散光の一部を受光し、前記拡散板によって透過させられる前記散光と関連付けられる波長に角度的に関係付けられる光のパターンを出力するように構成される、フィルタのアレイと、
前記フィルタのアレイから出力される前記光のパターンを受光し、前記受光された光のパターンを表す出力信号を提供するように構成される、感光性検出器と、
データインターフェースと、
少なくとも１つの処理デバイスであって、
前記感光性検出器の前記出力信号を受信することと、
前記出力信号の分析に基づいて、燃料と関連付けられる少なくとも１つの特性を判定することと、
前記少なくとも１つの特性に関する情報をディスプレイに提供することと
を行うように構成される、少なくとも１つの処理デバイスと
を備える、デバイス。
（項目１９９）
前記フィルタのアレイと前記感光性検出器との間に配置されるレンズのアレイをさらに含み、前記レンズのアレイの中の各レンズは、前記フィルタのアレイの中の対応するフィルタと関連付けられる、項目１９８に記載のデバイス。
（項目２００）
前記少なくとも１つの特性は、流体と関連付けられる判定された状態を含み、前記流体は、前記電力変換構成要素と関連付けられる、項目１９８に記載のデバイス。
（項目２０１）
ディスプレイをさらに備える、項目１９８に記載のデバイス。
（項目２０２）
サーバベースの分光分析エンジンシステムであって、
データインターフェースと、
データベースと、
少なくとも１つの処理デバイスであって、
複数の分析リクエスタのそれぞれから分光分析要求を受信することであって、各分光分析要求は、前記データインターフェースを介して受信され、少なくとも１つの取得された光スペクトルを表すデータと、前記光スペクトルと関連付けられる１つまたはそれを上回る付随データとを含む、ことと
各分析要求について、前記データベースに記憶された分光情報を使用して、前記取得された光スペクトルおよび前記光スペクトルと関連付けられる前記１つまたはそれを上回る付随データを分析し、各それぞれの分析要求について、前記データベースと関連付けられるアルゴリズムに基づいて、分析結果のリストを編纂することと、
各分析要求について、前記少なくとも１つの取得された光スペクトルおよび前記光スペクトルと関連付けられる前記１つまたはそれを上回る付随データを用いて前記データベースを更新することと、
各分析要求について、前記それぞれの分析要求について編纂される前記分析結果のリストを提供することと
を行うように構成される、少なくとも１つの処理デバイスと
を備える、システム。
（項目２０３）
前記データベースへの前記更新は、前記１つまたはそれを上回る付随データが前記光スペクトルと関連付けられる有効データを表すと判定される場合のみ行われる、項目２０２に記載のシステム。
（項目２０４）
前記１つまたはそれを上回る情報は、温度、地理的場所、物質のカテゴリ、物質のタイプ、化学組成、時間、物質の外見、物質の色、物質の味、物質の匂い、および物質と関連付けられる観察可能特性のうちの少なくとも１つを含む、前記取得された光スペクトルの収集と関連付けられる１つまたはそれを上回る状態を含む、項目２０２に記載のシステム。
（項目２０５）
前記データインターフェースは、インターネットから通信を伝送および受信するように構成される、項目２０２に記載のシステム。
（項目２０６）
前記取得された光スペクトルは、吸収スペクトル、蛍光スペクトル、およびラマンスペクトルのうちの少なくとも１つを含む、項目２０２に記載のシステム。
（項目２０７）
前記分析結果は、物質の識別、物質の鮮度、物質の画像、および物質のテキスト記述のうちの１つまたはそれを上回るものを含む、項目２０２に記載のシステム。
（項目２０８）
前記システムは、ユーザデバイス上にユーザインターフェースを提供するように構成され、前記ユーザインターフェースは、分析要求データ入力を含み、前記データインターフェースは、前記ユーザによって前記分析要求データ入力に提供されるデータとして前記分析要求を受信するように構成される、項目２０２に記載のシステム。
（項目２０９）
サーバベースの分光システムであって、
データインターフェースと、
分光データおよび複数のユーザのそれぞれの関連選好データを記憶するように構成される、データベースと、
少なくとも１つの処理デバイスであって、
前記複数のユーザの間からのユーザと関連付けられるデバイスから推奨要求を受信することであって、前記推奨要求は、前記データインターフェースを介して受信され、少なくとも１つの取得された光スペクトルを表すデータを含む、ことと、
前記ユーザの前記データベースに記憶された分光情報を使用して、前記取得された光スペクトルを分析し、前記分析に基づいて、少なくとも１つの推奨を生成することと、
前記データインターフェースを介して前記推奨を前記ユーザデバイスに提供することと
を行うように構成される、少なくとも１つの処理デバイスと
を備える、システム。
（項目２１０）
前記少なくとも１つの処理デバイスはさらに、前記ユーザのデバイスから選好更新を受信するように構成され、前記選好更新は、前記データインターフェースを介して受信され、少なくとも１つの取得された光スペクトルおよびユーザ選好の少なくとも１つのインジケータを表すデータを含み、前記少なくとも１つの取得された光スペクトルおよび前記ユーザ選好の少なくとも１つのインジケータを用いて前記データベースを更新する、項目２０９に記載のシステム。
（項目２１１）
前記取得された光スペクトルは、吸収スペクトル、蛍光スペクトル、およびラマンスペクトルのうちの少なくとも１つを含む、項目２０９に記載のシステム。
（項目２１２）
サーバベースの分光システムであって、
物質からデータを収集するように構成されるセンサと、
前記収集されたデータをクラウドベースのサーバに伝送するように構成される通信デバイスと、
前記通信デバイスから伝送される前記データを分析するように構成されるクラウドベースのサーバと、
前記クラウドベースのサーバから分析結果を受信し、前記分析結果をユーザに提示するように構成されるデバイスと
を備える、システム。
（項目２１３）
前記センサは、光学分光システムを備え、前記光学分光システムは、
光学分光器と、
照明光源と、
処理デバイスと
を備え、
前記システムは、前記物質の１つまたはそれを上回る化学的もしくは物理的性質に対応するスペクトルを生成するように構成される、項目２１２に記載のシステム。
（項目２１４）
前記光学分光器は、２ｃｍ×２ｃｍ×２ｃｍより小さい寸法を有する、項目２１３に記載のシステム。
（項目２１５）
前記通信デバイスは、携帯電話である、項目２１２に記載のシステム。
（項目２１６）
前記通信デバイスは、無線通信を使用して前記センサから前記収集されたデータを受信する、項目２１２に記載のシステム。
（項目２１７）
前記クラウドベースのサーバは、スペクトルのデータベースを備える、項目２１２に記載のシステム。
（項目２１８）
前記スペクトルのデータベースは、更新可能である、項目２１７に記載のシステム。
（項目２１９）
前記クラウドベースのサーバは、データ分析のための１つまたはそれを上回るアルゴリズムを備える、項目２１２に記載のシステム。
（項目２２０）
前記クラウドベースのサーバは、１つより多くのセンサまたは１人より多くのユーザをサポートする、項目２１２に記載のシステム。
（項目２２１）
前記１つより多くのセンサは、同一のデータベースをサポートするように構成および較正される、項目２２０に記載のシステム。
（項目２２２）
前記センサは、５秒未満のウォームアップ時間を有する、項目２１２に記載のシステム。
（項目２２３）
前記センサは、１秒未満のウォームアップ時間を有する、項目２２２に記載のシステム。
（項目２２４）
前記照明光源は、１つまたはそれを上回る発光ダイオードを備える、項目２１３に記載のシステム。
（項目２２５）
前記照明光源は、広帯域である、項目２１３に記載のシステム。
（項目２２６）
前記照明光源は、１つまたはそれを上回るレーザを備える、項目２１３に記載のシステム。
（項目２２７）
前記システムは、ユーザが具体的動作を行うことを可能にする、１つまたはそれを上回るアプリケーションを備える、項目２１２に記載のシステム。
（項目２２８）
前記システムは、アプリケーションを開発するための方法を前記ユーザに提供するように構成される、項目２１２に記載のシステム。
（項目２２９）
アプリケーションを開発するための前記方法は、新しいデータベースを作成するための方法を含む、項目２２８に記載のシステム。
（項目２３０）
各レンズ要素の出力が、最適よりも大きい点広がり関数サイズを有するように構成され、それによって、１つまたはそれを上回るレンズ要素の被写界深度を増加させるような形状を有する、前記１つまたはそれを上回るレンズ要素をさらに備える、項目１００に記載のシステム。
（項目２３１）
各レンズ要素の出力が、最適よりも大きい点広がり関数サイズを有するように構成され、それによって、１つまたはそれを上回るレンズ要素の被写界深度を増加させるような形状を有する、前記１つまたはそれを上回るレンズ要素をさらに備える、項目７８に記載の分光器。
（項目２３２）
入射光ビームの角度に対するレンズ要素の出力が非線形的に低減しているように、各レンズ要素の前記出力を歪曲させるように構成される非球面形状プロファイルを有する、１つまたはそれを上回るレンズ要素をさらに備える、項目１００に記載のデバイス。